(57)【要約】【課題】三脚プレートの曲げ剛性を高めた撮像装置を提供する。【解決手段】カメラ本体と、三脚が備えるネジが螺合される三脚雌ネジ部を有し、カメラ本体に三脚雌ネジ部を囲うように複数のビスで固定される三脚座本体部材と、を備える撮像装置を設ける。三脚座本体部材は、カメラ光軸に直交する方向を曲げ軸として折り曲げられ、三脚座本体部材のビスで固定されるビス固定箇所は、三脚雌ネジ部が配置されている第１の平面と、三脚座本体部材の折り曲げによってできる第２の平面とに配置され、三脚座本体部材には、三脚雌ネジ部の両側に、カメラ光軸に対して平行にたわみ抑制部が配置され、たわみ抑制部は、少なくとも、三脚座本体部材のビス固定箇所を頂点とする多角形の重心点を通るカメラ光軸に直交する直線と、三脚雌ネジ部の中心を通るカメラ光軸に直交する直線とで挟まれた領域に配置される。【選択図】図３
2014056208.tif 000002
【特許請求の範囲】
【請求項１】
カメラ本体と、
三脚が備えるネジが螺合される三脚雌ネジ部を有し、前記カメラ本体に前記三脚雌ネジ部を囲うように複数のビスで固定される三脚座本体部材と、を備え、
前記三脚座本体部材は、カメラ光軸に直交する方向を曲げ軸として折り曲げられ、
前記三脚座本体部材の前記ビスで固定されるビス固定箇所は、前記三脚雌ネジ部が配置されている第１の平面と、前記三脚座本体部材の折り曲げによってできる第２の平面とに配置され、
前記三脚座本体部材には、前記三脚雌ネジ部の両側に、カメラ光軸に対して平行にたわみ抑制部が配置され、
前記たわみ抑制部は、少なくとも、前記三脚座本体部材の前記ビス固定箇所を頂点とする多角形の重心点を通る前記カメラ光軸に直交する直線と、前記三脚雌ネジ部の中心を通る前記カメラ光軸に直交する直線とで挟まれた領域に配置される
ことを特徴とする撮像装置。
【請求項２】
撮影レンズが着脱可能なマウントと、
焦点検出を行う焦点検出部とを備え、
前記三脚座本体部材の幅は、前記マウントの投影幅以下、かつ、前記焦点検出部の投影幅以上である
ことを特徴とする請求項１に記載の撮像装置。
【請求項３】
前記折り曲げられた三脚座本体部材の折り曲げ部には、前記折り曲げ部の曲げ剛性を高めるリブが形成される
ことを特徴とする請求項１または請求項２に記載の撮像装置。
【請求項４】
前記三脚座本体部材の前記折り曲げ部は、前記三脚座本体部材の前記ビス固定箇所を頂点とする多角形の重心点を通る前記カメラ光軸に直交する直線と、前記三脚雌ネジ部の中心を通る前記カメラ光軸に直交する直線とで挟まれた領域の外側に配置される
ことを特徴とする請求項１乃至３のいずれか１項に記載の撮像装置。
【請求項５】
前記三脚座本体部材の前記ビス固定箇所は、前記カメラ光軸に平行方向の前記三脚雌ネジの中心線を対称軸として線対称となるように配置される
ことを特徴とする請求項１乃至４のいずれか１項に記載の撮像装置。
【請求項６】
前記三脚座本体部材の前記ビス固定箇所を頂点とする多角形の重心点と、前記三脚雌ネジ部の中心とを一致させ、
前記たわみ抑制部は、少なくとも、前記三脚雌ネジ部の前記カメラ光軸方向の外径幅で表される領域に配置される
ことを特徴とする請求項１乃至５のいずれか１項に記載の撮像装置。
【請求項７】
前記たわみ抑制部はビード加工によって形成されるビードであって、前記ビードの凸方向は、カメラ内部方向である
ことを特徴とする請求項１乃至６のいずれか１項に記載の撮像装置。
【請求項８】
前記三脚座本体部材は、第１の肉抜き部を有し、
前記第１の肉抜き部は、前記三脚座本体部材における、前記三脚座本体部材の前記ビス固定箇所を頂点とする多角形の重心点を通る前記カメラ光軸に直交する直線と、前記三脚雌ネジ部の中心を通る前記カメラ光軸に直交する直線とで挟まれた領域を避けて配置されている
ことを特徴とする請求項１乃至７のいずれか１項に記載の撮像装置。
【請求項９】
前記撮像装置内の発熱部と前記三脚座本体部材とを接続する伝熱部材を備え、
前記三脚座本体部材は、前記三脚雌ネジ部の周辺に第２の肉抜き部を有し、
前記第２の肉抜き部は、前記三脚座本体部材の前記三脚雌ネジ部と前記ビス固定箇所とをつなぐ線上の領域を避けて配置され、
前記伝熱部材と前記三脚座本体部材との接続部は、前記三脚雌ネジ部に対して、前記第２の肉抜き部より遠い領域に配置されている
ことを特徴とする請求項１乃至８のいずれか１項に記載の撮像装置。
【請求項１０】
前記第２の肉抜き部は、前記ビス固定箇所をそれぞれつなぐ線上の領域を避けて配置されている
ことを特徴とする請求項９に記載の撮像装置。
【請求項１１】
前記第２の肉抜き部は、前記ビス固定箇所を頂点とする多角形の重心点を通る前記カメラ光軸に直交する直線と、前記三脚雌ネジ部の中心を通る前記カメラ光軸に直交する直線とで挟まれた領域を避けて配置されている
ことを特徴とする請求項９または請求項１０に記載の撮像装置。
【請求項１２】
前記ビス固定箇所を頂点とする多角形の重心点を通る前記カメラ光軸に直交する直線と、前記三脚雌ネジ部の中心を通る前記カメラ光軸に直交する直線とで挟まれた領域において、前記伝熱部材と前記三脚座本体部材との接続部は、前記三脚雌ネジ部に対して、前記たわみ抑制部より遠い領域に接続される
ことを特徴とする請求項１１に記載の撮像装置。
【請求項１３】
前記三脚座本体部材の前記ビス固定箇所を頂点とする多角形の重心点と、前記三脚雌ネジ部の中心とを一致させ、
前記第２の肉抜き部は、前記三脚雌ネジ部の前記カメラ光軸方向の外径幅で表される領域を避けて配置される
ことを特徴とする請求項９または請求項１０に記載の撮像装置。
【請求項１４】
前記三脚雌ネジの周辺に、前記三脚雌ネジとカメラ外装との間に防滴するための防滴部材が設けられており、
前記第２の肉抜き部は、前記防滴部材が設けられた領域を避けて配置されている
ことを特徴とする請求項９乃至１３のいずれか１項に記載の撮像装置。
【発明の詳細な説明】
【技術分野】
【０００１】
本発明は、撮像装置に関し、特に三脚への取り付け構造に関する。
【背景技術】
【０００２】
レンズ交換式のデジタル一眼レフカメラにおいて、カメラを三脚に取り付けた状態で、カメラ、特にレンズ先端に外力が加わったとき、外力による変形に耐えるために、カメラ底部に三脚雌ネジを伴った三脚プレートが配置されている構造が提案されている。
【０００３】
図１２は、従来のデジタル一眼レフカメラの三脚プレート周辺の底面図である。８２は三脚プレート、８１は三脚雌ネジ、８５はミラーボックス、８６はカメラ本体である。また、８３ａ〜８３ｈは三脚プレート８２とミラーボックス８５およびカメラ本体８６とを不図示のビスで締結する箇所である。
【０００４】
図１２に示すように、三脚プレート８２は、カメラの底部全域にわたって配置されており、様々な箇所でビス止めされることにより、カメラに加わる外力による変形に耐える構成を有する。しかし、図１２に示す従来の構成では、三脚プレートが大きく、カメラの軽量化にとって不利であった。また、様々な箇所でビス止めされており、組立費の増大を招いていた。
【０００５】
そこで、三脚プレートを小さくし、ビス本数を減らしつつ、曲げ強度を上げるために三脚プレートにビードを配置することが考えられる。
【０００６】
図１３は、三脚プレートを小型化した場合のデジタル一眼レフカメラの三脚プレート周辺の底面図である。９２は三脚プレート、９１は三脚雌ネジ、９５はミラーボックス、９６はカメラ本体である。また、９３ａ〜９３ｄは三脚プレート９２とミラーボックス９５およびカメラ本体９６とを不図示のビスで締結する箇所である。図１３に示す構成では、カメラに加わる外力は三脚雌ネジで受け止められる。したがって、最大たわみの方向は、支点である三脚雌ネジ９１と力点であるビス止め箇所９３ａ〜９３ｄを結ぶ線上となる。よって、図１３に示すように、三脚雌ネジ９１とビス止め箇所９３ａ〜９３ｄを結ぶ線上にビード９４ａ〜９４ｄを配置すると、力学的に最も効果が得られる。
【０００７】
一方、特許文献１は、三脚プレートの曲げ強度を上げる別の手法を開示している。特許文献１は、雌ネジ部と、雌ネジ部の直上に凸形状が設けられている天板プレートとの２部品から成る三脚プレートを備え、静圧に対する高い強度を有している三脚座を提案している。
【０００８】
また、近年、デジタル一眼レフカメラ等の撮像装置において、高画素化や、高機能化に伴い、撮像素子や画像処理マイコンの消費電力が大きくなってきている。さらに、撮像装置が小型化、薄型化することにより、発熱密度が大きくなってきている。
【０００９】
図１４は、従来の撮像装置の放熱構成を示した図である。２１２は画像処理マイコンであり、基板２１１に実装される。画像処理マイコン２１２は消費電力が高いため、大量の熱を発生する。２０２は三脚プレートである。２１４は伝熱部材であり、画像処理マイコン２１２と三脚プレート２０２とを接続している。三脚プレート２０２はカメラ構成する部品の中では熱容量の高い部品であるため、カメラ内部の熱の放熱先として有用である。
【００１０】
しかし、三脚雌ネジ部は金属部品で構成されているため、外装材料として使用されることが多い樹脂材料と比較して、熱伝導率が大きい。さらに、三脚雌ネジ部は、外部に露出するので、撮影者が触れたときに熱を感じやすいという問題がある。
【００１１】
三脚雌ネジ部の温度上昇を抑制する構造として、特許文献２は、三脚雌ネジ部と天板プレートの２部品から成る三脚プレートを有し、三脚雌ネジ部を貫通穴で形成し、カメラ内側の貫通穴部を熱伝導率の低い部材で覆っている三脚取付部の構造を提案している。
【先行技術文献】
【特許文献】
【００１２】
【特許文献１】特開２００６−２０８８０１号公報
【特許文献２】特開２０１１−１００６９号公報
【発明の概要】
【発明が解決しようとする課題】
【００１３】
しかしながら、例えば図１３に示すようにビードを配置する場合、三脚プレートをプレス成形する上で、三脚雌ネジとビードとを隙間を設けることなく、一体的に成形することは困難である。したがって、この三脚プレートでは、図１３の点線丸枠部に示すように、ビードを配置できない箇所ができてしまい、曲げ剛性が低い。その結果、カメラに加わる外力により、その箇所に大きな応力が発生し、三脚プレートが変形してしまうという課題がある。
【００１４】
本発明は、上記の課題の少なくとも一つを解決するためになされたものである。本発明は、三脚プレートの曲げ剛性を高めた撮像装置の提供を目的とする。また、本発明は、三脚プレートの曲げ剛性を維持しつつ、三脚雌ネジの温度上昇を抑制することが可能とする撮像装置の提供を目的とする。
【課題を解決するための手段】
【００１５】
本発明の一実施形態の撮像装置は、カメラ本体と、三脚が備えるネジが螺合される三脚雌ネジ部を有し、前記カメラ本体に前記三脚雌ネジ部を囲うように複数のビスで固定される三脚座本体部材と、を備え、前記三脚座本体部材は、カメラ光軸に直交する方向を曲げ軸として折り曲げられ、前記三脚座本体部材の前記ビスで固定されるビス固定箇所は、前記三脚雌ネジ部が配置されている第１の平面と、前記三脚座本体部材の折り曲げによってできる第２の平面とに配置され、前記三脚座本体部材には、前記三脚雌ネジ部の両側に、カメラ光軸に対して平行にたわみ抑制部が配置され、前記たわみ抑制部は、少なくとも、前記三脚座本体部材の前記ビス固定箇所を頂点とする多角形の重心点を通る前記カメラ光軸に直交する直線と、前記三脚雌ネジ部の中心を通る前記カメラ光軸に直交する直線とで挟まれた領域に配置されることを特徴とする。
【発明の効果】
【００１６】
本発明の撮像装置によれば、三脚プレートの曲げ剛性を維持することができる。また、本発明の撮像装置によれば、三脚プレートの曲げ剛性を維持しつつ、三脚雌ネジの温度上昇を抑制することが可能となる。
【図面の簡単な説明】
【００１７】
【図１】実施例１の撮像装置の外観図の一例である。
【図２】実施例１の撮像装置の外観図の一例である。
【図３】デジタル一眼レフカメラの底部の分解斜視図である。
【図４】デジタル一眼レフカメラの底面図である。
【図５】三脚プレートの底面図である。
【図６】三脚プレートの底面図である。
【図７】三脚プレートの底面図である。
【図８】撮像装置の放熱構成を斜め下側からみた斜視図である。
【図９】三脚プレートの底面図である。
【図１０】三脚プレートとグラファイトシートとの関係を示す底面図である。
【図１１】三脚プレートの底面図である。
【図１２】従来のデジタル一眼レフカメラの三脚プレート周辺の底面図である。
【図１３】従来のデジタル一眼レフカメラの三脚プレート周辺の底面図である。
【図１４】従来の撮像装置の放熱構成を示した図である。
【発明を実施するための形態】
【００１８】
（実施例１）
図１および図２は、実施例１の撮像装置の外観図の一例である。図１は、カメラ前方より見た斜視図であり、撮影レンズユニットを外した状態を示す。図２は、カメラ背面側より見た斜視図である。図１、図２中に示すデジタル一眼レフカメラ１は、本実施例の撮像装置である。
【００１９】
マウント２は、着脱可能な撮影レンズ（不図示）がカメラ本体に取り付けられる部位である。マウント接点３は、カメラ本体と撮影レンズユニットとの間で制御信号、状態信号、データ信号などを伝え合うと共に、各種電圧の電流を供給する機能を有する。
【００２０】
レンズロック解除釦４は、撮影レンズユニットを取り外す際に押し込まれる釦である。ミラーボックス５は、カメラ筐体内に配置されている。ミラーボックス５は、撮影レンズを通ってきた光束を囲む形状を有する。ミラーボックス５は、ファインダ接眼窓１８により被写体像を観察可能とする位置と撮影光束から待避する位置とに移動可能なクイックリターンミラー６を内蔵している。被写体結像位置には不図示の撮像素子が配置されており、結像された被写体像を光電変換して撮像を行う。
【００２１】
図中の正面からみてカメラ上部左方には、撮影開始の起動スイッチとしてのシャッタボタン７と、撮影時の動作モードに応じてシャッタスピードやレンズ絞り値を設定するメイン操作ダイヤル８と、カメラの各動作モードを示すＬＣＤ表示パネル９が配置されている。
【００２２】
カメラ上部中央には、カメラ本体に対してポップアップするストロボユニット１１とフラッシュ取付け用のシュー溝１２とフラッシュ接点１３とが設けられている。また、カメラ上部右よりには、撮影モード設定ダイヤル１４が配置されている。
【００２３】
カメラ背面には、光軸中心上の上方に被写体像を観察するためのファインダ接眼窓１８が設けられ、更に、カメラ背面中央には画像表示可能な液晶表示部１９が設けられている。液晶表示部１９の横に配置されたサブ操作ダイヤル２０は、メイン操作ダイヤル８の機能の補助的役割を担っている。ユーザは、シャッタスピードとレンズ絞り値の各々を使用者の意志によって設定するマニュアルモードにおいて、メイン操作ダイヤル８でシャッタスピードを設定し、サブ操作ダイヤル２０でレンズ絞り値を設定する。
【００２４】
三脚雌ネジ２１は、三脚をデジタル一眼レフカメラ１に取り付けるための雌ネジである。三脚雌ネジ２１は、三脚が備えるネジが螺合される三脚雌ネジ部として機能する。電源スイッチ４３は、デジタル一眼レフカメラ１の電源をオン／オフする。
【００２５】
図３は、本実施例におけるデジタル一眼レフカメラの底部の分解斜視図である。図４は、デジタル一眼レフカメラの底面図である。カメラ本体３０には、ミラーボックス５やカメラ外装などの部品がビスで締結される。
【００２６】
焦点検出センサユニット３１は、位相差方式の焦点検出を行う焦点検出部として機能する。デジタル一眼レフカメラ１は、検出信号に基づいて、不図示の撮像レンズ内のフォーカスレンズを合焦位置に移動させる。焦点検出センサユニット３１は、所定の調整がなされた後、ミラーボックス５の底部に取り付けられる。三脚プレート２２は三脚雌ネジ２１と一体成形されている三脚座本体部材である。三脚プレート２２が三脚雌ネジ２１と一体成形されているので、部品点数の削減、組立費の削減が図られる。また、三脚雌ネジ２１は、カメラ光軸上に配置されている。
【００２７】
三脚プレート２２は、小型軽量化のために必要最小限の大きさとなっている。図４中に示すように、三脚プレートの幅Ａは、マウント２の図中Ｂで示す投影幅以下であり、焦点検出センサユニット３１の図中Ｃで示す投影幅以上に設定される。
【００２８】
マウントに力が加わった際に、マウント投影幅内で、三脚プレート２２、ミラーボックス５、カメラ本体３０でボックス形状が形成され、カメラの変形に抗うことができる。これにより、三脚プレート２２を不必要に大きくすることなく、カメラの変形を抑えることができる。また、焦点検出センサユニット３１を外部から保護する目的で、三脚プレート２２の幅を焦点検出センサユニット３１の幅以上にしている。
【００２９】
三脚プレート２２のビス孔２３ａ〜２３ｄは、三脚雌ネジ２１を囲いこむように配置されているビス固定箇所である。さらに、三脚プレート２２のビス孔２３ａ〜２３ｄは、カメラ光軸に対して平行方向の三脚雌ネジ２１の中心線を対称軸として線対称になるように配置されている。また、ビス孔２３ａ〜２３ｄは、ビス孔２３ａとビス孔２３ｃとをつなぐ線２３ａ−２３ｃと、ビス孔２３ｂとビス孔２３ｄとをつなぐ線２３ｂ−２３ｄとが、カメラ光軸に対して平行になるように配置されている。
【００３０】
そして、三脚プレート２２は、ビス孔２３ａ、２３ｂを介してビス３２ａ、３２ｂによってカメラ本体３０の底部に固定されている。また、三脚プレート２２は、ビス孔２３ｃ、２３ｄを介してビス３２ｃ、３２ｄによってミラーボックス５の底部に固定されている。すなわち、三脚プレート２２は、三脚雌ネジ２１を囲うように複数のビス３２ａ、３２ｂ、３２ｃ、３２ｄでミラーボックス５の底部に固定される。
【００３１】
また、三脚プレート２２は、三脚雌ネジ２１と三脚プレート２２のビス孔２３ｃ、２３ｄとの間で、カメラ光軸に直交する２つの軸をそれぞれ曲げ軸としてクランク状に折り曲げた形状となっている。リブ２５ａ、２５ｂは、２つ曲げ軸のうち、三脚雌ネジ２１に近い側の曲げ軸上に、リブ加工によって形成されている。リブ２５ａ、２５ｂが形成されることによって、折り曲げ部分の曲げ剛性が高められている。
【００３２】
そして、三脚プレート２２がクランク状の折り曲げ形状を有するので、ビス孔２３ａおよび２３ｂは、ビス孔２３ｃおよび２３ｄとは異なる平面に配置されている。具体的には、ビス孔２３ａ、２３ｂは、三脚雌ネジ２１の存在する第１の平面に配置されており、ビス孔２３ｃ、２３ｄは、クランク状に折り曲げられた先のマウントに近い側の第２の平面に配置されている。すなわち、三脚プレート２２のビスで固定されるビス固定箇所は、三脚雌ネジ２１が配置されている第１の平面と、三脚プレートの折り曲げによってできる第２の平面とに配置されている。
【００３３】
三脚プレート２２にクランク状の折り曲げ形状が無く、三脚プレート２２を固定するビスが同一平面内にある場合、レンズ先端に荷重が加わると、三脚プレート２２の最大たわみの方向は、三脚雌ネジとビス固定箇所を結ぶ線上となる。一方、本実施例の撮像装置では、三脚プレート２２に折り曲げ部を有する。したがって、三脚プレート２２の最大たわみの方向は、カメラ光軸に沿うように三脚プレート折り曲げ部からビス孔２３ａ、２３ｂを結ぶ線上（三脚プレート前後方向）となる。そして、そのたわみ方向に沿ってビードが配置されている。これにより三脚プレートの変形を抑制することができる。
【００３４】
図５は、本実施例における三脚プレート２２の底面図である。上述したように、たわみを抑えるたわみ抑制部として、三脚雌ネジ２１の両側に、カメラ光軸に対して平行にビード２４ａ、２４ｂが配置されている。ビード２４ａ、２４ｂは、ビード加工によって形成され、たわみを抑えるたわみ抑制部として機能する。ビード２４ａは、三脚雌ネジ２１と、ビス孔をつなぐ線２３ａ−２３ｃとで挟まれる領域に配置される。ビード２４ｂは、三脚雌ネジ２１と、ビス孔をつなぐ線２３ｂ−２３ｄとで挟まれる領域に配置される。これにより、三脚プレートをプレス成形する上で、三脚雌ネジ成形とビード成形とを両立させることが可能である。なお、本実施例では、ビード２４ａ、２４ｂによって、三脚プレート２２にたわみ抑制部を形成しているが、これ代えて、ビード２４ａ、２４ｂの形成位置と同じ位置に、リブ加工によってリブを形成しても、リブがたわみ抑制部として機能する。  
【００３５】
また、ビード２４ａ、２４ｂの凸方向は、カメラ内部方向（紙面奥方向）が望ましい。こうすることで、ビードを外装側に出っ張らせて不必要にカメラを大きくすることを避けることができる。
【００３６】
図５中に示すように、三脚プレート固定ビス孔２３ａ、２３ｂ、２３ｃ、２３ｄを頂点とする多角形（四角形）の重心点Ｐを通り、カメラ光軸に直交する直線をＡ−Ａとする。また、三脚雌ネジ２１の中心を通り、カメラ光軸に直交する直線をＢ−Ｂとする。直線Ａ−Ａと直線Ｂ−Ｂとで挟まれる領域Ｄには、少なくともビード２４ａ、２４ｂが配置されている。
【００３７】
レンズ先端に荷重が加わると、直線Ａ−Ａと直線Ｂ−Ｂとで挟まれる領域Ｄ内に特に大きな曲げ応力が発生し、カメラ光軸に直交する軸に沿って折れ曲がるように変形する。よって、図５に示すような構成とすることで、折れ曲がりに対して効率よく抗うことができる。これにより、三脚プレート２２の変形を防ぐことが可能となる。
【００３８】
前述した三脚プレート２２の折り曲げ部は、前述した直線Ａ−Ａと直線Ｂ−Ｂとで挟まれる領域Ｄの外側であってマウント側（被写体側）に配置されることが望ましい。これは、直線Ａ−Ａと直線Ｂ−Ｂとで挟まれる領域Ｄ内に折り曲げ部を配置する構成をとる場合には、レンズ先端に荷重が加わると、この折り曲げ部に非常に大きな曲げ応力が発生してしまい、三脚プレート２２が変形してしまうからである。
【００３９】
肉抜き穴２６ａ〜２６ｄは、三脚プレート２２の軽量化を図るために形成されている。肉抜き穴２６ａ〜２６ｄは、直線Ａ−Ａと直線Ｂ−Ｂとで挟まれる領域Ｄの外側に配置されている。これは、レンズ先端に荷重が加わると、直線Ａ−Ａと直線Ｂ−Ｂとで挟まれる領域Ｄ内には大きな曲げ応力が発生するため、領域Ｄ内に肉抜き穴を形成してしまうと、三脚プレート２２の折れ曲がり変形に対して抗うことができなくなってしまうからである。
【００４０】
以上の構成により、三脚プレートをプレス成形する上で、三脚雌ネジ成形とビード成形とを両立させつつ、カメラに外力が加わった場合、特にカメラに取り付けた撮影レンズ先端に鉛直方向の力が加わった場合においても、三脚プレートの変形を防ぐことができる。
【００４１】
図６、図７は、本実施例の変形例を説明する三脚プレートの底面図である。図６（Ａ）に示す三脚プレート４２は、固定ビス孔４３ａ、４３ｂ、４３ｃ、４３ｄを頂点とする四角形の重心点Ｐが、三脚雌ネジ４１の中心よりも後ろ（被写体側）にある構成を有する。図６（Ａ）に示す三脚プレート４２は、前述した図５に示す構成に対して、重心点Ｐと三脚雌ネジ４１中心との位置関係が逆になっている。
【００４２】
三脚プレート固定ビス孔４３ａ、４３ｂ、４３ｃ、４３ｄを頂点とする四角形の重心点Ｐを通り、カメラ光軸に直交する直線をＡ−Ａとする。また、三脚雌ネジ４１の中心を通り、カメラ光軸に直交する直線をＢ−Ｂとする。
【００４３】
直線Ａ−Ａと直線Ｂ−Ｂとで挟まれる領域Ｄには、少なくともビード４４ａ、４４ｂが配置される。リブ４５ａおよび４５ｂは、リブ加工によって形成されており、三脚プレート４２の折り曲げられた部分の曲げ剛性を高めている。
【００４４】
図６（Ｂ）に示す三脚プレート５２は、固定ビス孔５３ａ、５３ｂ、５３ｃ、５３ｄを頂点とする四角形の重心点Ｐと、三脚雌ネジ５１の中心とを一致させている。
【００４５】
三脚雌ネジ５１のマウント側の外径端を通り、カメラ光軸に直交する直線をＡ−Ａとする。また、三脚雌ネジ５１の撮影者側の外径端を通り、カメラ光軸に直交する直線をＢ−Ｂとする。直線Ａ−Ａと直線Ｂ−Ｂとで挟まれる領域Ｄは、三脚雌ネジ５１のカメラ光軸方向の外径幅で表される領域である。この領域Ｄには、少なくともビード５４ａ、５４ｂが配置される。リブ５５ａおよび５５ｂは、リブ加工によって形成されており、三脚プレート５２の折り曲げられた部分の曲げ剛性を高めている。
【００４６】
図６（Ａ）、（Ｂ）に示すいずれの変形例においても、レンズ先端に荷重が加わると、直線Ａ−Ａと直線Ｂ−Ｂとで挟まれる領域Ｄ内に特に大きな曲げ応力が発生し、カメラ光軸に直交する軸に沿って折れ曲がるように変形する。よって、上記構成とすることで、折れ曲がりに対して効率よく抗うことができる。これにより、三脚プレート４２および４３の変形を防ぐことが可能となる。
【００４７】
次に、図７を参照して、本実施例の他の変形例について説明する。図７に示すように、三脚プレート固定ビス孔６３ａ、６３ｂ、６３ｃ、６３ｄを頂点とする四角形の重心点Ｐを通り、カメラ光軸に直交する直線をＡ−Ａとする。また、三脚雌ネジ６１の中心を通り、カメラ光軸に直交する直線をＢ−Ｂとする。
【００４８】
直線Ａ−Ａと直線Ｂ−Ｂとで挟まれる領域Ｄには、少なくともビード６４ａ、６４ｂが配置される。ビード６４ａ、６４ｂの形状は三角形状であり、図５および図６に示すような線形状のビードとは異なっている。三角形状ビード６４ａ、６４ｂの底辺６４ａａ、６４ｂｂは、三脚雌ネジ６１の両側に、カメラ光軸に略平行に配置されている。
【００４９】
図７に示す変形例においても、レンズ先端に荷重が加わると、直線Ａ−Ａと直線Ｂ−Ｂとで挟まれる領域Ｄ内に特に大きな曲げ応力が発生し、カメラ光軸に直交する軸に沿って折れ曲がるように変形する。よって、上記構成とすることで、折れ曲がりに対して効率よく抗うことができる。ビード形状は、三脚雌ネジの両側に、カメラ光軸に略平行の成分が、少なくとも領域Ｄに存在するならば、線形状でなくとも、例えば、上述したような三角形状ビードでもよいし、四角形状ビードでもよく、その形状は限定されない。
【００５０】
なお、図５および図６に示す実施例では、いずれもビードによって、三脚プレートにたわみ抑制部を形成しているが、これ代えて、それぞれのビードの形成位置と同じ位置に、リブ加工によってリブを形成しても、リブがたわみ抑制部として機能する。また、三脚プレートの固定ビス孔の数は４個としたが、これに限定されるものではない。
【００５１】
（実施例２）
以下に、図８乃至図１１を参照して、実施例２の撮像装置について説明する。図８は、実施例２の撮像装置の放熱構成を斜め下側からみた斜視図である。デジタル一眼レフカメラ３００は、本実施例の撮像装置である。デジタル一眼レフカメラ３００の基本構成は、デジタル一眼レフカメラ１の基本構成と同様である。画像処理マイコン１１２は、基板１１１に実装されている。伝熱部材として機能するグラファイトシート１１４は、画像処理マイコン１１２と三脚プレート１０２とを接続している。これにより、撮像装置内の発熱部である画像処理マイコン１１２付近の局所的な温度上昇を抑制することができる。なお、本実施例では、発熱部として画像処理マイコンを挙げたが、撮像素子等の画像処理マイコン以外の発熱体に対しても本実施例は同様の作用効果を奏する。
【００５２】
図９は、実施例２における三脚プレートの底面図である。第２の肉抜き部としての肉抜き穴１０７ａ〜ｇが、三脚雌ネジ１０１と三脚プレート１０２の他の領域との熱抵抗の増加を図るために三脚雌ネジ１０１近傍に設けられている。第１の肉抜き部としての肉抜き穴１０６ａ〜１０６ｄは、図５にて説明した肉抜き穴２６ａ〜２６ｄと同じ位置に形成されている。
【００５３】
本実施例では、肉抜き穴１０７ａ〜ｇは、三脚雌ネジ１０１と三脚プレート固定ビス孔１０３ａ〜ｄとをそれぞれつなぐ線１０１−１０３ａ、１０１−１０３ｂ、１０１−１０３ｂ、１０１−１０３ｄを避けて配置されている。肉抜き穴１０７ａ〜ｇは、さらに、三脚プレート固定ビス孔１０３ａ〜ｄを頂点とする四角形の重心点Ｐと、重心点Ｐと三脚プレート固定ビス孔１０３ａ〜ｄをそれぞれつなぐ線上を避けて配置されている。
【００５４】
ここで、三脚プレート固定ビス孔１０３ａ、１０３ｂ、１０３ｃ、１０３ｄを頂点とする四角形の重心点Ｐを通り、カメラ光軸に直交する直線をＡ−Ａとする。また、三脚雌ネジ１０１の中心を通り、カメラ光軸に直交する直線をＢ−Ｂとする。肉抜き穴１０７ａ〜ｇは、直線Ａ−Ａと直線Ｂ−Ｂとで挟まれる領域Ｄを避けて配置される。なお、肉抜き穴１０６ａ〜１０６ｄは、直線Ａ−Ａと直線Ｂ−Ｂとで挟まれる領域Ｄの外側に配置されている。
【００５５】
上述のように肉抜き穴１０７ａ〜ｇを配置することで、カメラ外部から外力が加わっても、特にレンズ先端に荷重が加わっても、肉抜き穴部には大きな応力が加わらないので、三脚プレート１０２の変形を防ぐことが可能となる。
【００５６】
防滴部材１１５は、三脚雌ネジ１０１の周辺とカメラ外装との合わせ部分をシールする。防滴部材１１５は、三脚雌ネジ１０１に外接するように配置され、三脚プレート１０２とカメラ外装により圧縮されることで、防滴の効果を奏する。三脚プレート１０２の肉抜き穴１０７ａ〜ｇは、防滴部材１１５が設けられた領域を避けて配置されている。これにより、肉抜き穴１０７ａ〜ｇを配置しても、カメラの防滴性能を維持することが可能となる。
【００５７】
図１０は、実施例２における三脚プレートとグラファイトシートとの関係を示す底面図である。グラファイトシート１１４は伝熱部材である。グラファイトシート１１４は、粘着テープ等で三脚プレート１０２に接続される。図１０中の斜線部は、三脚プレート１０２とグラファイトシート１１４との接続部である。
【００５８】
三脚雌ネジ１０１を避けるために、グラファイトシート１１４に開口部１１４ａが設けられている。開口部１１４ａの上側縁部と肉抜き穴１０７ａ〜ｇの上側縁部とが一致するように、グラファイトシート１１４は三脚プレート１０２に貼着されている。すなわち、三脚プレート１０２にグラファイトシート１１４を貼着しても、グラファイトシート１１４が肉抜き穴１０７ａ〜ｇを塞ぐことがない。これにより、画像処理マイコン１１２の熱を三脚プレート１０２に逃がしつつ、三脚雌ネジ１０１への過伝熱を防ぐことが可能となる。
【００５９】
直線Ａ−Ａと直線Ｂ−Ｂとで挟まれる領域Ｄは、肉抜き穴１０７が配置されない領域である。この領域Ｄにおいては、三脚雌ネジ１０１と、三脚プレート１０２とグラファイトシート１１４は、ビード１０４ａ、１０４ｂよりも外側で接続される。これにより、三脚雌ネジ１０１と、三脚プレート１０２とグラファイトシート１１４との接続部までの距離が長くなり、三脚雌ネジ１０１と、三脚プレート１０２とグラファイトシート１１４との接続部との間の熱抵抗を高くすることが可能となる。
【００６０】
以上の構成により、三脚プレートをプレス成型する上で、三脚プレートの剛性を維持しつつ、三脚雌ネジの温度上昇を抑制することが可能となる。したがって、三脚プレートの部品点数および組立費を増大させることなく、三脚雌ネジの温度上昇を抑制することが可能となる。
【００６１】
図１１は、実施例２の変形例を説明する三脚プレートの底面図である。図１１（Ａ）に示す変形例では、三脚プレート固定ビス孔１２３ａ、１２３ｂ、１２３ｃ、１２３ｄを頂点とする四角形の重心点Ｐは、三脚雌ネジ１２１の中心よりも撮影者側（図中上側）にある。三脚プレート固定ビス孔１２３ａ、１２３ｂ、１２３ｃ、１２３ｄを頂点とする四角形の重心Ｐを通り、カメラ光軸に直交する直線Ａ−Ａとする。また、三脚雌ネジ１２１の中心を通り、カメラ光軸に直交する直線をＢ−Ｂとする。肉抜き穴１２７ａ〜ｆは、直線Ａ−Ａ及び直線Ｂ−Ｂとで挟まれた領域Ｄを避けて配置される。
【００６２】
図１１（Ｂ）に示す変形例では、三脚プレート１４２の三脚プレート固定ビス孔１４３ａ、１４３ｂ、１４３ｃ、１４３ｄを頂点とする四角形の重心位置Ｐと三脚雌ネジ１４１の中心が重なっている。三脚雌ネジ１４１のマウント側の外形端を通り、カメラ光軸に直交する直線をＡ−Ａとする。また、三脚雌ネジ１４１の撮影者側（図中上側）の外形端を通り、カメラ光軸に直交する直線をＢ−Ｂとする。直線Ａ−Ａと直線Ｂ−Ｂとで挟まれる領域Ｄは、三脚雌ネジ１４１のカメラ光軸方向の外形幅で表される領域である。肉抜き穴１４７ａ〜ｆは，領域Ｄを避けて配置される。
【００６３】
図１１（Ａ）、（Ｂ）に示すいずれの変形例においても、三脚プレートの剛性を維持しつつ三脚雌ネジへの伝熱を抑制することが可能である。なお、実施例２では、ビードによって、三脚プレートにたわみ抑制部を形成しているが、これ代えて、ビードの形成位置と同じ位置に、リブ加工によってリブを形成しても、リブがたわみ抑制部として機能する。また、三脚プレートの固定ビス孔の数は４個としたが、これに限定されるものではない。
【００６４】
以上、本発明の好ましい実施例について説明したが、本発明はこれらの実施例に限定されず、その要旨の範囲内で種々の変形及び変更が可能である。
【符号の説明】
【００６５】
２    マウント
５    ミラーボックス
２１    三脚雌ネジ
２２    三脚プレート
２４    ビード
３０    カメラ本体
３１    焦点検出センサユニット
１０１    三脚雌ネジ
【図１】
2014056208.tif 000003
【図２】
2014056208.tif 000004
【図３】
2014056208.tif 000005
【図４】
2014056208.tif 000006
【図５】
2014056208.tif 000007
【図６】
2014056208.tif 000008
【図７】
2014056208.tif 000009
【図８】
2014056208.tif 000010
【図９】
2014056208.tif 000011
【図１０】
2014056208.tif 000012
【図１１】
2014056208.tif 000013
【図１２】
2014056208.tif 000014
【図１３】
2014056208.tif 000015
【図１４】
2014056208.tif 000016